(57)【要約】【課題】電話線を利用してデータ伝送を実現しつつ、親機の占有スペースを抑制する電話線ローカルエリアネットワークシステムを提供する。【解決手段】本発明の電話線ローカルエリアネットワークシステムは、配線盤３から展開される電話線８の終端側にそれぞれ子機用スプリッタ９を設け、子機１０を接続する。また、電話線８の基端側には、複数の電話線８を対象として共通のデータ信号を注入し、当該電話線８からデータ信号を抽出する親機用スプリッタ５を設ける。親機７は、親機用スプリッタ５に接続され、時分割多重化方式等の多重化方式で送受信を行う。【選択図】図１
2010239470.tif 000002
【特許請求の範囲】
【請求項１】
配線盤から展開される電話線と、
前記電話線の終端側に設けられ、前記電話線からデータ信号を抽出し、前記電話線にデータ信号を注入する子機用スプリッタと、
前記子機用スプリッタに接続された子機と、
前記電話線の基端側に設けられ、複数の電話線を対象として共通のデータ信号を注入し、当該電話線からデータ信号を抽出することの可能な親機用スプリッタと、
前記親機用スプリッタに接続され、多重化方式で前記子機と送受信を行う親機と
を備えたことを特徴とする電話線ローカルエリアネットワークシステム。
【請求項２】
前記親機用スプリッタは、電話線ごとに介挿され電話用信号のみを通過させるローパスフィルタと、電話線ごとに分岐接続されデータ信号のみを通過させるハイパスフィルタとを備えており、
前記ハイパスフィルタの各々における一端は電話線に接続され、他端は全てのハイパスフィルタで相互に接続されて一本化され、かつ、前記親機に接続される請求項１記載の電話線ローカルエリアネットワークシステム。
【請求項３】
前記親機用スプリッタは中間配線盤又はその近傍で電話線に接続され、前記子機用スプリッタは当該電話線の終端に接続される請求項１又は２に記載の電話線ローカルエリアネットワークシステム。
【請求項４】
前記親機用スプリッタは主配線盤又はその近傍で電話線に接続され、前記子機用スプリッタは当該主配線盤から中間配線盤を経由した電話線の終端に接続される請求項１又は２に記載の電話線ローカルエリアネットワークシステム。
【請求項５】
前記親機用スプリッタは中間配線盤の上流側で電話線に接続される請求項３記載の電話線ローカルエリアネットワークシステム。
【請求項６】
請求項１記載の電話線ローカルエリアネットワークシステムにおける前記子機の下流側に他の親機が接続され、当該他の親機を含む、請求項１記載の電話線ローカルエリアネットワークシステムがさらに構成される、複合的な電話線ローカルエリアネットワークシステム。
【請求項７】
前記親機用スプリッタと子機用スプリッタとの間に、信号を増幅するリピータが設けられる請求項１記載の電話線ローカルエリアネットワークシステム。
【請求項８】
配線盤から展開される電話線の終端側に設けられた子機用スプリッタ及び当該子機用スプリッタに接続された子機を送受信の相手方として多重化方式で送受信を行う親機のための親機用スプリッタであって、
前記電話線の基端側に設けられ、複数の電話線を対象として共通のデータ信号を注入し、当該電話線からデータ信号を抽出することの可能な親機用スプリッタ。
【請求項９】
配線盤から展開される電話線の終端側に設けられた子機用スプリッタ及び当該子機用スプリッタに接続された子機を送受信の相手方とするスプリッタ付き親機であって、
前記電話線の基端側に設けられ、複数の電話線を対象として共通のデータ信号を注入し、当該電話線からデータ信号を抽出することの可能なスプリッタ機能を有するとともに、多重化方式で前記子機と送受信を行うことを特徴とするスプリッタ付き親機。
【請求項１０】
請求項８の親機用スプリッタ又は請求項９のスプリッタ付き親機から電話線を介して下流側に接続される子機用スプリッタ。
【請求項１１】
請求項８の親機用スプリッタ又は請求項９のスプリッタ付き親機から電話線を介して下流側に接続され、前記子機用スプリッタと前記子機とを互いに一体化したスプリッタ付き子機。
【発明の詳細な説明】
【技術分野】
【０００１】
本発明は、電話線を用いてデータ通信を行う電話線ローカルエリアネットワークシステム及び、その構成部分に関する。
【背景技術】
【０００２】
ＡＤＳＬ（ Asymmetric Digital Subscriber Line）やＶＤＳＬ（ Very High Bit Rate Digital Subscriber Line）に代表されるｘＤＳＬは、音声通話用の電話線を利用して高速のデジタルデータ伝送を行う技術である。かかるｘＤＳＬでは、電話線ごとに、親機と子機が１対１で対応する構成となっており（例えば、特許文献１参照。）、そのため、子機（利用者）が増えると親機も増える。企業等の構内でｘＤＳＬを構成する場合には、構内交換機（ＰＢＸ）の直下にある主配線盤（ＭＤＦ）を収める部屋内等に、多数又は大型の親機が設置されることになる。
【先行技術文献】
【特許文献】
【０００３】
【特許文献１】特開２００５−２７２２６号公報
【発明の概要】
【発明が解決しようとする課題】
【０００４】
上記のような構内ｘＤＳＬにおいて、子機は分散して設置されるが、親機は一箇所に集中して設置されるため、大きな設置スペースが必要となり、収容が困難になる。
かかる従来の問題点に鑑み、本発明は、電話線を利用したデータ伝送を実現しつつ、親機の占有スペースを抑制するシステムを提供することを目的とする。
【課題を解決するための手段】
【０００５】
本発明の電話線ローカルエリアネットワークシステムは、配線盤から展開される電話線と、前記電話線の終端側に設けられ、前記電話線からデータ信号を抽出し、前記電話線にデータ信号を注入する子機用スプリッタと、前記子機用スプリッタに接続された子機と、前記電話線の基端側に設けられ、複数の電話線を対象として共通のデータ信号を注入し、当該電話線からデータ信号を抽出することの可能な親機用スプリッタと、前記親機用スプリッタに接続され、多重化方式で前記子機と送受信を行う親機とを備えたものである。
【０００６】
ここで、多重化方式とは、親機（１台）対子機（ｎ台）が１：ｎの多重化技術（時分割多重化、周波数分割多重化、符号分割多重化等）で送受信を行うものである。なお、子機用スプリッタ及び子機は、互いに物理的に独立した存在であってもよいし、互いに合体した装置の中のそれぞれの機能部分であってもよい。親機用スプリッタ及び親機に関しても同様である。
【０００７】
上記のように構成された電話線ローカルエリアネットワークシステムでは、複数の電話線を基端側で１つにしたデータ伝送線の形態と多重化方式とにより、１台の親機で複数台（ｎ台）の子機と１：ｎの通信を行うことができる。そのため、親機の占有スペースがコンパクトであり、配線盤内やその近傍に容易に設置することができる。また、多重化方式により信号が伝送されるため、各子機の信号相互の干渉を防止することができる。例えば、複数の電話線が近接する配線盤付近に親機を配置したとしても、各子機の信号相互の干渉を防止することができる。
【０００８】
また、上記電話線ローカルエリアネットワークシステムにおいて、親機用スプリッタは、電話線ごとに介挿され電話用信号のみを通過させるローパスフィルタと、電話線ごとに分岐接続されデータ信号のみを通過させるハイパスフィルタとを備えており、ハイパスフィルタの各々における一端は電話線に接続され、他端は全てのハイパスフィルタで相互に接続されて一本化され、かつ、親機に接続されるものであってもよい。
このような親機用スプリッタによって、親機は、多重化方式で構成されるデータ信号を複数の電話線に一斉注入することができ、かつ、複数の電話線からデータ信号を抽出することができる。
【０００９】
また、上記電話線ローカルエリアネットワークシステムにおいて、親機用スプリッタは中間配線盤又はその近傍で電話線に接続され、子機用スプリッタは当該電話線の終端に接続されるものであってもよい。
この場合、中間配線盤より下流にある電話線をデータ伝送線とした、比較的短距離での電話線ローカルエリアネットワークシステムを構成することができる。
【００１０】
また、上記電話線ローカルエリアネットワークシステムにおいて、親機用スプリッタは主配線盤又はその近傍で電話線に接続され、子機用スプリッタは当該主配線盤から中間配線盤を経由した電話線の終端に接続されるものであってもよい。
この場合、主配線盤より下流にある電話線をデータ伝送線とした、比較的長距離にわたる電話線ローカルエリアネットワークシステムを構成することができる。
【００１１】
また、上記電話線ローカルエリアネットワークシステムにおいて、親機用スプリッタは中間配線盤の上流側で電話線に接続されるものであってもよい。
このような電話線ローカルエリアネットワークシステムでは、例えば席替えにより電話線の利用者が変わった場合において、変更後の席の電話線が電話専用線であったとき、中間配線盤で電話線をつなぎ替えすることにより、容易に、変更後の席の電話線でデータ伝送を行うことができる。
【００１２】
また、上記電話線ローカルエリアネットワークシステムにおける子機の下流側に他の親機が接続され、当該他の親機を含む、電話線ローカルエリアネットワークシステムがさらに構成される、複合的な電話線ローカルエリアネットワークシステムとすることもできる。
この場合、親子２代の広範なネットワークを構成することができる。
【００１３】
また、上記電話線ローカルエリアネットワークシステムにおいて、親機用スプリッタと子機用スプリッタとの間に、信号を増幅するリピータが設けられていてもよい。
この場合、伝送距離が長くなっても確実にデータ伝送を行うことができる。
【００１４】
一方、本発明の親機用スプリッタは、配線盤から展開される電話線の終端側に設けられた子機用スプリッタ及び当該子機用スプリッタに接続された子機を送受信の相手方として多重化方式で送受信を行う親機のためのものであって、前記電話線の基端側に設けられ、複数の電話線を対象として共通のデータ信号を注入し、当該電話線からデータ信号を抽出することを可能としている。
【００１５】
上記のような親機用スプリッタを用いて親機・子機間で電話線ローカルエリアネットワークシステムを構成すれば、複数の電話線を基端側で１つにしたデータ伝送線の形態と多重化方式とにより、１台の親機で複数台（ｎ台）の子機と１：ｎの通信を行うことができる。そのため、親機の占有スペースがコンパクトであり、配線盤内やその近傍に容易に設置することができる。また、多重化方式により信号が伝送されるため、各子機の信号相互の干渉を防止することができる。
【００１６】
また、本発明のスプリッタ付き親機は、配線盤から展開される電話線の終端側に設けられた子機用スプリッタ及び当該子機用スプリッタに接続された子機を送受信の相手方とするものであって、前記電話線の基端側に設けられ、複数の電話線を対象として共通のデータ信号を注入し、当該電話線からデータ信号を抽出することの可能なスプリッタ機能を有するとともに、多重化方式で前記子機と送受信を行うことを特徴とする。
【００１７】
上記のようなスプリッタ付き親機を用いて子機との間で電話線ローカルエリアネットワークシステムを構成すれば、複数の電話線を基端側で１つにしたデータ伝送線の形態と多重化方式とにより、１台の親機で複数台（ｎ台）の子機と１：ｎの通信を行うことができる。そのため、親機の占有スペースがコンパクトであり、配線盤内やその近傍に容易に設置することができる。また、多重化方式により信号が伝送されるため、各子機の信号相互の干渉を防止することができる。
【００１８】
また、本発明の子機用スプリッタは、上記の親機用スプリッタ又はスプリッタ付き親機から電話線を介して下流側に接続されるものである。
このような子機用スプリッタは、上記の親機用スプリッタ又はスプリッタ付き親機の送受信の相手方機器として使用される。
また、本発明のスプリッタ付き子機は、上記の親機用スプリッタ又はスプリッタ付き親機から電話線を介して下流側に接続され、子機用スプリッタと子機とを互いに一体化したものである。
このようなスプリッタ付き子機は、上記の親機用スプリッタ又はスプリッタ付き親機の送受信の相手方機器として使用される。
【発明の効果】
【００１９】
本発明の電話線ローカルエリアネットワークシステムによれば、電話線を利用したデータ伝送を実現しつつ、親機の占有スペースを抑制することができる。また、各子機の信号相互の干渉を防止することができる。かかるシステムは、本発明の親機用スプリッタやスプリッタ付き親機を用いて構成することができる。
【図面の簡単な説明】
【００２０】
【図１】電話線を伝送媒体としてデータ信号を重畳する電話線ローカルエリアネットワークシステムの第１実施形態に係る構成を示すブロック図である。
【図２】親機用スプリッタの内部ブロック回路図である。
【図３】親機や子機となるモデムに搭載される機能のブロック図である。
【図４】多重化の一例として上り下り信号並びに各子機との通信を時分割多重化したケースを示す図である。
【図５】図１の基本構成に基づく、さらに具体的な第１実施例による電話線ローカルエリアネットワークシステムのブロック図である。
【図６】図１の基本構成に基づく、さらに具体的な第２実施例による電話線ローカルエリアネットワークシステムのブロック図である。
【図７】図１の基本構成に基づく、さらに具体的な第３実施例による電話線ローカルエリアネットワークシステムのブロック図である。
【図８】電話線ローカルエリアネットワークシステムの第２実施形態に係る構成を示すブロック図である。
【図９】図８の状態から甲と乙とが機器ごと入れ替わった状態を示すブロック図である。
【発明を実施するための形態】
【００２１】
以下、本発明の電話線ローカルエリアネットワークシステム（以下、電話線ＬＡＮシステムという。）の実施の形態（親機用スプリッタ、スプリッタ付き親機の実施の形態も含む。）について、図面を参照して説明する。
【００２２】
《第１実施形態》
図１は、電話線を伝送媒体としてデータ信号（デジタル）を重畳する電話線ＬＡＮシステムの第１実施形態に係る構成を示すブロック図である。この図は、構内交換機（ＰＢＸ）１より下流側にある機器の構成を示している。図において、構内交換機１から引き出される多数の電話線２は、配線盤（ＭＤＦ／ＩＤＦ）３に接続されている。配線盤３は、実際には主配線盤（ＭＤＦ）のみ、又は、主配線盤から中間配線盤（ＩＤＦ）の経由、を意味している。
【００２３】
配線盤３の下流側の電話線には、電話にのみ使用される電話線（図示せず。）と、電話及びデータ伝送に使用される電話線４とがあり、そのうちの後者は、親機用スプリッタ５に接続されている。すなわち、配線盤３から展開される全ての電話線が、親機用スプリッタ５に接続されている電話線である必要はなく、配線盤３から展開されている全ての電話線のうちの少なくとも一部（複数）が親機用スプリッタ５に接続される。親機用スプリッタ５は、例えば同軸線６を介して、親機７と接続されている。
【００２４】
この親機７は、デジタル信号が有線（電話線、電源線、同軸線等）上を伝送できるように変換して通信を行う装置で、また多重化技術（時分割多重化、周波数分割多重化、符号分割多重化等）により１：ｎの双方向通信を行う機能を備える。同様の通信の仕組みを持つ装置に、ＰＬＣモデムがあるが、同モデムはＯＦＤＭ（直交周波数分割多重）方式もしくはＳＳ（スペクトラム拡散）方式等を使用し、１：ｎの双方向通信を、電源線を媒介として実現している。親機７は、親機用スプリッタ５を介して、電話線８にデータ信号を注入し、また、電話線８からデータ信号を抽出する。
【００２５】
図２は、親機用スプリッタ５の内部ブロック回路図である。親機用スプリッタ５は、複数（ｎ個、この例ではｎ＝８）のハイパスフィルタ５Ｈ及び同数のローパスフィルタ５Ｌ、並びに、バラン５Ｂを備えている。ローパスフィルタ５Ｌは、電話線（４，８）ごとに介挿され、電話用信号（４ｋＨｚ以下）のみを通過させる。ハイパスフィルタ５Ｈは、電話線８ごとに分岐接続され、データ信号（２ＭＨｚ〜３０ＭＨｚ）のみを通過させる。ハイパスフィルタ５Ｈの各々における一端は電話線８に接続され、他端は全てのハイパスフィルタ５Ｈで相互に接続されて一本化され、かつ、バラン５Ｂを介して親機７に接続されている。
【００２６】
このような親機用スプリッタ５を利用して、親機７は、データ信号を複数の電話線８に一斉注入することができ、また、各電話線８からデータ信号を抽出することができる。なお、バラン５Ｂは、同軸線６側の不平衡状態にある信号と、反対側の平衡状態にある信号とを相互に変換する素子である。
【００２７】
図３は、親機７や後述の子機１０となるモデムＭに搭載される機能のブロック図である。モデムＭは、ＬＡＮ信号入出力部（ＰＨＹ）７１と、データ交換部７２と、ＣＰＵ７３と、多重分離装置７４と、信号入出力部７７とを備えている。多重分離装置７４はさらに、送受信バッファ７５（送信バッファＴＸ１〜ＴＸｎ、受信バッファＲＸ１〜ＲＸｎ）と、多重／分離部７６とを備えている。上り方向（下流から上流へ）には、ＬＡＮ信号が、データ交換部７２及び多重分離装置７４によって多重化された信号となる。下り方向には、多重化された信号が、多重分離装置７４及びデータ交換部７２によってＬＡＮ信号に変換される。
【００２８】
図４は、多重化の一例として上り下り信号並びに各子機との通信を時分割多重化したケースを示す図である。モデムＭは、ノードｎ（子機等）に論理チャネルを割り当てて、論理チャネルｎ向けの送信データＴｎ（Ｔ１，Ｔ２，・・・，Ｔｎ）と、論理チャネルｎからの受信データＲｎ（Ｒ１，Ｒ２，・・・，Ｒｎ）とを、時間軸上に、図示のように構成する。
【００２９】
図１に戻り、複数（ｎ本）の電話線８の終端側にはそれぞれ子機用スプリッタ９が接続されている。このスプリッタ９は、電話用信号とデータ信号とを互いに分離又は重畳する。各子機用スプリッタ９の下流側のデータ信号側には子機１０が、電話用信号側には電話機１１が、それぞれ接続されている。また、子機１０には、パソコン１２が接続されている。
【００３０】
上記のように構成された電話線ＬＡＮシステムでは、複数の電話線を基端側で１つにしたデータ伝送線の形態と多重化方式とにより、１台の親機７で複数台（ｎ台）の子機１０と１：ｎの通信を行うことができる。そのため、親機７の占有スペースがコンパクトであり、配線盤３内やその近傍に容易に設置することができる。また、多重化方式により信号が伝送されるため、各子機１０の信号相互の干渉を防止することができる。
【００３１】
なお、構内等で使用される電話線は、本来は電話番号（内線番号）ごとに独立した線であり、電話線同士で信号の漏洩や干渉が生じることは、基本的にはない。しかしながら、電話線は同軸線のようなシールド構造ではないため、音声信号よりはるかに高い周波数信号（データ信号）を伝送すると、電話線同士が近接していなくても、漏洩や干渉が生じる場合がある。そこで、上記のような多重化方式の採用によって、漏洩しても干渉しないようにするのである。
【００３２】
図５〜７は、図１の基本構成に基づく、さらに具体的な実施例による電話線ＬＡＮシステムのブロック図である。まず、図５の実施例では、構内にＡ館、Ｂ館、Ｃ館がある。Ａ館内には、ＭＤＦ室があり、その中に、ＭＤＦ（主配線盤）３１、親機用スプリッタ５及び親機７が設置されている。親機用スプリッタ５はＭＤＦ３１の近傍にあって、電話線８１に接続されている。この親機用スプリッタ５に、親機７が接続されている。なお、ＭＤＦ３１のケースに十分な余裕があれば、親機用スプリッタ５や親機７をケース内に収納することも可能である。ＭＤＦ３１から親機用スプリッタ５を介して展開される多数の電話線のうち１本（電話線８１）はＢ館へ配線され、約２００ｍの長さがある。また、その他の複数の電話線８２はＣ館へ配線され、約７５０ｍの長さがある。
【００３３】
Ｂ館内の第１会議室にはスプリッタ９が設けられ、これに、子機１０及び電話機１１が接続されている。子機１０には、第３会議室のハブ１３を介して、パソコン１２が接続されている。Ｃ館内にはＩＤＦ（中間配線盤）３２が設置され、その下流側の電話線８３の終端には、事務所内の複数のスプリッタ９が接続されている。スプリッタ９には、子機１０及び電話機１１が接続されている。子機１０にはパソコン１２が接続されている。すなわち、Ｃ館内の子機用スプリッタ９は、ＭＤＦ３１からＩＤＦ３２を経由した電話線（８２，８３）の終端に接続される。
【００３４】
図５の構成では、Ｂ館内の子機１０及び、Ｃ館内の各子機１０は、親機７と通信可能であり、また、親機７との通信を介して又は電話線８１〜８３を通じて直接各子機１０間の通信も可能である。すなわち、電話線ＬＡＮが構成され、各パソコン１２からのインターネット接続や、各パソコン１２間でのデータ信号の送受信が可能となる。例えばパソコン１２に接続されたＷｅｂカメラを利用して子機間でテレビ会議をすることなどもできる。また、ＭＤＦ３１から展開される電話線８２にさらにＩＤＦ３２を介して子機用スプリッタ９を接続することによって、ＭＤＦ３１より下流にある電話線８２，８３をデータ伝送線とした、比較的長距離にわたる電話線ＬＡＮシステムを構成することができる。
【００３５】
次に、図６の実施例では、同様に、構内にＡ館、Ｂ館、Ｃ館がある。Ａ館内には、ＭＤＦ室があり、その中に、ＭＤＦ３１、親機用スプリッタ５及び親機７が設置されている。ＭＤＦ３１から展開される電話線のうち、親機用スプリッタ５を通過するのは２本のみであり、それ以外は、いわば電話専用線である。当該２本のうちの１本（電話線８１）はＢ館へ配線され、約２００ｍの長さがある。また、その他の電話線８２はＣ館へ配線され、約７５０ｍの長さがある。
【００３６】
Ｂ館内の構成は第１実施例（図５）と同様である。一方、Ｃ館内では、親機用スプリッタ５を通る電話線のみを対象として、ＩＤＦ３２より上流側に子機用スプリッタ９が設けられている。この子機用スプリッタ９には子機１０が接続され、さらに、Ａ館内のものとは別に、親機７が接続されている。この親機７は、ＩＤＦ３２の下流側に設けられた親機用スプリッタ５と接続されており、データ信号の再送信（上り／下り）を行うことができる。事務所内の構成は、第１実施例（図５）と同様である。
【００３７】
図６の構成では、Ｂ館内の子機１０及び、Ｃ館内の事務所外にある子機１０は、Ａ館内の親機７と通信可能であり、また、当該親機７との通信を介して各子機１０間の通信も可能である。さらに、Ｃ館における事務所内の複数の子機１０は、Ｃ館内の親機７と通信可能であり、また、当該親機７との通信を介して事務所内の各子機１０間の通信も可能である。
【００３８】
こうして、Ａ館の親機７から見ると、Ｂ館については親子１代の関係、Ｃ館については親子２代の関係を経て、全体として広範な電話線ＬＡＮが構成され、Ｂ館やＣ館の各パソコン１２からのインターネット接続や、各パソコン１２間でのデータ信号の送受信が可能となる。また、Ｃ館内のみに着目すれば、ＩＤＦ３２より下流にある電話線８３をデータ伝送線とした、比較的短距離での電話線ＬＡＮシステムを構成することができる。
【００３９】
次に、図７の実施例では、同様に、構内にＡ館、Ｂ館、Ｃ館があるが、Ａ館とＣ館との間に、ＩＤＦ盤が設けられる。ＩＤＦ盤内には、ＩＤＦ３２が設置され、その下流側のデータ伝送線（Ａ館内で親機用スプリッタ５を通っている電話線）に信号を増幅するリピータ１４が接続されている。その他の構成は、第２実施例（図６）と同様である。
図７の構成では、途中にリピータ１４を設けることで、伝送距離が長くなっても確実に、Ａ館内の親機７とＣ館内の事務所外の子機１０との間で、データ伝送を行うことができる。
【００４０】
《第２実施形態》
図８は、電話線ＬＡＮシステムの第２実施形態に係る構成を示すブロック図である。図１との違いは、親機用スプリッタ５が、ＩＤＦ３２の上流側にある点であり、その他の構成は同様である。但し、形式的には、ＰＢＸやＭＤＦの図示を省略し、電話のみに用いる電話線を図示している点が図１とは異なる。
【００４１】
図８において、親機用スプリッタ５は、ＩＤＦ３２の上流側にあって、データ伝送に使用される複数の電話線４に接続されている。親機７は、親機用スプリッタ５に接続されている。また、ＩＤＦ３２には、電話専用線である複数の電話線４Ａも接続されている。電話線４に対応するＩＤＦ３２の下流側の電話線８の終端側には、子機用スプリッタ９を介して子機１０及びパソコン１２並びに電話機１１が接続されている。一方、電話線４Ａに対応するＩＤＦ３２の下流側の電話線８Ａの終端には電話機１１が接続されている。
【００４２】
ここで、図８に示すように、甲、乙、丙の３人がそれぞれ枠内の機器を使用しているとして、例えば席替えにより甲と丙とが互いに席を入れ替わったとする。この場合、電話の使用に関しては、内線番号が変わることはあっても、特に問題はない。一方、甲は、自分の使用しているパソコン１２、子機１０及びスプリッタ９を持って丙の席へ移動するが、丙が使用していた席の電話線８Ａはデータ信号が伝送されないので、甲のパソコン１２はＬＡＮに入れなくなる。
【００４３】
図９は、甲と乙とが機器ごと入れ替わった状態を示すブロック図である。このように末端の機器だけ入れ替えると、甲のパソコン１２はＬＡＮに入れない。そこで、ＩＤＦ３２内で、配線をつなぎ替えて、電話線８Ａをデータ伝送が可能な電話線とし、また、丙の席へ行く電話線８は電話専用線とする。
【００４４】
このようにして、第２実施形態に係る電話線ＬＡＮシステムによれば、電話線の利用者が変わった場合において、変更後の席の電話線が電話専用線であったとき、中間配線盤３２で電話線をつなぎ替えすることにより、容易に、変更後の席の電話線でデータ伝送を行うことができる。なお、親機用スプリッタ５がＩＤＦ３２の下流側にある場合には、当該スプリッタ５を通る電話線を変更する等の作業が必要であり、上流側にある場合と比べて不便である。
【００４５】
《その他》
なお、上記各実施形態における親機用スプリッタ５と親機７とは互いに別体であるが、親機用スプリッタ５の機能を親機７内に取り込んで両者を一体化し、スプリッタ付き親機としてもよい。同様に、子機用スプリッタ９と子機１０とは互いに別体であるが、子機用スプリッタ９の機能を子機１０内に取り込んで両者を一体化し、スプリッタ付き子機としてもよい。また上記各実施形態における親機７や親機用スプリッタ５は複数の電話線に一斉に信号を注入するのに用いたが、一本の電話線に信号を注入するのにも用いることが可能である。
【００４６】
なお、今回開示された実施の形態はすべての点で例示であって制限的なものではないと考えられるべきである。本発明の範囲は特許請求の範囲によって示され、特許請求の範囲と均等の意味及び範囲内での全ての変更が含まれることが意図される。
【符号の説明】
【００４７】
３    配線盤
４    電話線
５    親機用スプリッタ
５Ｈ  ハイパスフィルタ
５Ｌ  ローパスフィルタ
７    親機
８    電話線
９    子機用スプリッタ
１０    子機
３１    ＭＤＦ（主配線盤）
３２    ＩＤＦ（中間配線盤）
８１〜８３    電話線
【図１】
2010239470.tif 000003
【図２】
2010239470.tif 000004
【図３】
2010239470.tif 000005
【図４】
2010239470.tif 000006
【図５】
2010239470.tif 000007
【図６】
2010239470.tif 000008
【図７】
2010239470.tif 000009
【図８】
2010239470.tif 000010
【図９】
2010239470.tif 000011